【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
正逆転動作が可能な単一個の駆動モータと、駆動モータの出力を伝達するモータギヤ列と、駆動モータの正転時にはディスクを挿入方向に沿って移送し、かつ、駆動モータの逆転時にはディスクを排出方向に沿って移送するディスクギヤ列と、駆動モータの正転時にはピックアップをディスク半径の外向き方向に沿って移送し、かつ、駆動モータの逆転時には光ピックアップをディスク半径の内向き方向に沿って移送するピックアップギヤ列と、ディスクギヤ列及びピックアップギヤ列を切り換えてモータギヤ列と結合させる駆動切り換え機構とを備え、
前記駆動切り換え機構は、
一端がモータギヤ列の終端ギヤと同一の軸心位置を中心として揺動可能に軸支され、第１及び第２のフック係合部が設けられた揺動アームと、
前記揺動アームの他端側に回動可能に軸支され、ディスクギヤ列及びピックアップギヤ列のいずれか一方を構成する所定のギヤと噛み合う切り換えギヤと、
切り換えギヤがディスクギヤ列を構成している所定のギヤと噛み合うのに伴って前記第１のフック係合部と係合して揺動アームを位置決め支持する第１のフック部材と、
切り換えギヤがピックアップギヤ列を構成している所定のギヤと噛み合うのに伴って前記第２のフック係合部と係合して揺動アームを位置決め支持する第２のフック部材と、
ディスクギヤ列とピックアップギヤ列との間に配置され、ディスクギヤ列及びピックアップギヤ列の一方を構成している所定のギヤとの噛み合いが終了する直前位置にある切り換えギヤがディスクギヤ列及びピックアップギヤ列の他方を構成している所定のギヤと噛み合った位置に到達するまでの移動を仲介する仲介部材とを有し、
前記切り換えギヤは、駆動モータの正転時にはディスクギヤ列から離間する方向に沿って回転し、かつ、駆動モータの逆転時にはピックアップギヤ列から離間する方向に沿って回転するものである、
ことを特徴とするディスクプレーヤ。
【請求項２】
請求項１に記載したディスクプレーヤであって、
前記仲介部材は、モータギヤ列の終端ギヤと同一の軸心位置を回動中心とする内歯車の一部を構成する歯車形状である、
ことを特徴とするディスクプレーヤ。
【請求項３】
請求項２に記載したディスクプレーヤであって、
前記仲介部材は、切り換えギヤの移動方向に沿って変位可能に支持されている、
ことを特徴とするディスクプレーヤ。
【請求項４】
請求項１に記載したディスクプレーヤであって、
挿入方向に沿って移送されたディスク再生位置へと到着したのに伴って移動を開始するスライダーと、第１のフック部材を揺動付勢する第１のフック付勢部材と、第２のフック部材を揺動付勢する第２のフック付勢部材とを備え、
前記第１のフック部材は、揺動アームの揺動方向に沿った一方側の離間位置で揺動可能に軸支されており、第１のフック係合部と係合する第１のアーム係合部が一端に設けられ、かつ、移動してきた前記スライダーと係合したうえで第１のアーム係合部が第１のフック係合部から離間する方向へ第１のフック部材を揺動させるスライダー係合部が他端に設けられ、
前記第２のフック部材は、前記揺動アームの揺動方向に沿った他方側の離間位置で揺動可能に軸支されており、第２のフック係合部と係合する第２のアーム係合部が一端に設けられ、ディスク半径の内向き方向へと移動してきた前記ピックアップと係合したうえで第２のアーム係合部が第２のフック係合部から離間する方向へと第２のフック部材を揺動させるピックアップ係合部が他端に設けられ、
前記第１のフック付勢部材は、第１のアーム係合部が第１のフック係合部に係合する方向に第１のフック部材を揺動付勢し、
前記第２のフック付勢部材は、第２のアーム係合部が第２のフック係合部に係合する方向に第２のフック部材を揺動付勢する、
ことを特徴とするディスクプレーヤ。
【手続補正２】
【補正対象書類名】明細書
【補正対象項目名】０００５
【補正方法】変更
【補正の内容】
【０００５】
【課題を解決するための手段】
本発明にかかるディスクプレーヤは、正逆転動作が可能な単一個の駆動モータと、駆動モータの出力を伝達するモータギヤ列と、駆動モータの正転時にはディスクを挿入方向に沿って移送し、かつ、駆動モータの逆転時にはディスクを排出方向に沿って移送するディスクギヤ列と、駆動モータの正転時にはピックアップをディスク半径の外向き方向に沿って移送し、かつ、駆動モータの逆転時には光ピックアップをディスク半径の内向き方向に沿って移送するピックアップギヤ列と、ディスクギヤ列及びピックアップギヤ列を切り換えてモータギヤ列と結合させる駆動切り換え機構とを備えてなるものであって、前記駆動切り換え機構は、一端がモータギヤ列の終端ギヤと同一の軸心位置を中心として揺動可能に軸支され、第１及び第２のフック係合部が設けられた揺動アームと、前記揺動アームの他端側に回動可能に軸支され、ディスクギヤ列及びピックアップギヤ列のいずれか一方を構成する所定のギヤと噛み合う切り換えギヤと、切り換えギヤがディスクギヤ列を構成している所定のギヤと噛み合うのに伴って前記第１のフック係合部と係合して揺動アームを位置決め支持する第１のフック部材と、切り換えギヤがピックアップギヤ列を構成している所定のギヤと噛み合うのに伴って前記第２のフック係合部と係合して揺動アームを位置決め支持する第２のフック部材と、ディスクギヤ列とピックアップギヤ列との間に配置され、ディスクギヤ列及びピックアップギヤ列の一方を構成している所定のギヤとの噛み合いが終了する直前位置にある切り換えギヤがディスクギヤ列及びピックアップギヤ列の他方を構成している所定のギヤと噛み合った位置に到達するまでの移動を仲介する仲介部材とを有する。前記切り換えギヤは、駆動モータの正転時にはディスクギヤ列から離間する方向に沿って回転し、かつ、駆動モータの逆転時にはピックアップギヤ列から離間する方向に沿って回転するものである。
【手続補正３】
【補正対象書類名】明細書
【補正対象項目名】０００６
【補正方法】変更
【補正の内容】
【０００６】
前記仲介部材は、モータギヤ列の終端ギヤと同一の軸心位置を回動中心とする内歯車の一部を構成する歯車形状であるのが好ましい。
【手続補正４】
【補正対象書類名】明細書
【補正対象項目名】０００７
【補正方法】変更
【補正の内容】
【０００７】
前記仲介部材を歯車形状とする場合、前記仲介部材は、切り換えギヤの移動方向に沿って変位可能に支持されているのが好ましい。
【手続補正５】
【補正対象書類名】明細書
【補正対象項目名】０００８
【補正方法】変更
【補正の内容】
【０００８】
本発明は次のように構成するのがさらに好ましい。挿入方向に沿って移送されたディスク再生位置へと到着したのに伴って移動を開始するスライダーと、第１のフック部材を揺動付勢する第１のフック付勢部材と、第２のフック部材を揺動付勢する第２のフック付勢部材とを備える。前記第１のフック部材は、揺動アームの揺動方向に沿った一方側の離間位置で揺動可能に軸支されており、第１のフック係合部と係合する第１のアーム係合部が一端に設けられ、かつ、移動してきた前記スライダーと係合したうえで第１のアーム係合部が第１のフック係合部から離間する方向へ第１のフック部材を揺動させるスライダー係合部が他端に設けられる。前記第２のフック部材は、前記揺動アームの揺動方向に沿った他方側の離間位置で揺動可能に軸支されており、第２のフック係合部と係合する第２のアーム係合部が一端に設けられ、ディスク半径の内向き方向へと移動してきた前記ピックアップと係合したうえで第２のアーム係合部が第２のフック係合部から離間する方向へと第２のフック部材を揺動させるピックアップ係合部が他端に設けられる。前記第１のフック付勢部材は、第１のアーム係合部が第１のフック係合部に係合する方向に第１のフック部材を揺動付勢する。前記第２のフック付勢部材は、第２のアーム係合部が第２のフック係合部に係合する方向に第２のフック部材を揺動付勢する。